【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
下記一般式（１）で表される化合物からなる発光材料。
【化１】
2019006988.tif 000001
［一般式（１）において、
Ｒ１〜Ｒ５は、各々独立に水素原子または置換基を表し、
Ｒ１〜Ｒ５のうちの１個はシアノ基を表し、
Ｒ１〜Ｒ５のうちの１〜３個は、アルキル基またはアリール基で置換されていてもよいアリール基Ａｒ（ただし後者のアリール基を構成するベンゼン環には、炭素原子の他に酸素原子または硫黄原子を環骨格構成原子として含んでいてもよい環が縮合していてもよいが、酸素原子および硫黄原子以外のヘテロ原子を環骨格構成原子として含む環が縮合していることはない）を表し、Ｒ１〜Ｒ５のうちの２個以上がＡｒであるとき、それらのＡｒは互いに同一であっても異なっていてもよく、
Ｒ１〜Ｒ５のうちの１〜３個は、ドナー性基Ｄ（ただしＡｒに該当するものは除く）を表し、Ｒ１〜Ｒ５のうちの２個以上がＤであるとき、それらのＤは互いに同一であっても異なっていてもよい。］
【請求項２】
Ｒ１〜Ｒ５が各々独立にシアノ基、ＡｒまたはＤである、請求項１に記載の発光材料。
【請求項３】
Ｄが置換アミノ基を含む、請求項１または２に記載の発光材料。
【請求項４】
Ｄが下記一般式（２ａ）で表される基である、請求項３に記載の発光材料。
【化２】
2019006988.tif 000002
［一般式（２ａ）において、Ｒ１１とＲ１２は、各々独立に置換もしくは無置換のアルキル基、置換もしくは無置換のアルケニル基、置換もしくは無置換のアリール基、または置換もしくは無置換のヘテロアリール基を表す。Ｌは単結合、置換もしくは無置換のアリーレン基、または置換もしくは無置換のヘテロアリーレン基を表す。Ｒ１１とＲ１２は互いに結合して環状構造を形成してもよい。＊は、一般式（１）におけるベンゼン環の環骨格を構成する炭素原子（Ｃ）への結合位置を表す。］
【請求項５】
Ｄが下記一般式（２ｂ）で表される基である、請求項３に記載の発光材料。
【化３】
2019006988.tif 000003
［一般式（２ｂ）において、Ｒ２１〜Ｒ２８は、各々独立に水素原子または置換基を表す。Ｌは単結合、置換もしくは無置換のアリーレン基、または置換もしくは無置換のヘテロアリーレン基を表す。Ｒ２１とＲ２２、Ｒ２２とＲ２３、Ｒ２３とＲ２４、Ｒ２４とＲ２５、Ｒ２６とＲ２７、Ｒ２７とＲ２８は互いに結合して環状構造を形成するために必要な連結基を形成してもよい。また、Ｒ２５とＲ２６は互いに結合して単結合または連結基を形成してもよい。］
【請求項６】
Ｄが下記一般式（２ｃ）で表される基である、請求項３に記載の発光材料。
【化４】
2019006988.tif 000004
［一般式（２ｃ）において、Ｒ３１〜Ｒ４０は、各々独立に水素原子または置換基を表す。Ｌは単結合、置換もしくは無置換のアリーレン基、または置換もしくは無置換のヘテロアリーレン基を表す。Ｒ３１とＲ３２、Ｒ３２とＲ３３、Ｒ３３とＲ３４、Ｒ３４とＲ３５、Ｒ３６とＲ３７、Ｒ３７とＲ３８、Ｒ３８とＲ３９、Ｒ３９とＲ４０は互いに結合して環状構造を形成するために必要な連結基を形成してもよい。また、Ｒ３５とＲ３６は互いに結合して単結合または連結基を形成してもよい。＊は、一般式（１）におけるベンゼン環の環骨格を構成する炭素原子（Ｃ）への結合位置を表す。］
【請求項７】
Ｌが単結合である、請求項４〜６のいずれか１項に記載の発光材料。
【請求項８】
Ｒ３がシアノ基であって、Ｌが置換もしくは無置換のフェニレン基である、請求項４〜６のいずれか１項に記載の発光材料。
【請求項９】
Ｄが下記一般式（３）〜（６）のいずれかで表される基である、請求項４〜８のいずれか１項に記載の発光材料。
【化５】
2019006988.tif 000005
［一般式（３）〜（６）において、Ｒ４１〜Ｒ４６、Ｒ５１〜Ｒ６０、Ｒ６１〜Ｒ６８、Ｒ７１〜Ｒ７８は、各々独立に水素原子または置換基を表す。Ｒ４１とＲ４２、Ｒ４２とＲ４３、Ｒ４３とＲ４４、Ｒ４５とＲ４６、Ｒ５１とＲ５２、Ｒ５２とＲ５３、Ｒ５３とＲ５４、Ｒ５４とＲ５５、Ｒ５５とＲ５６、Ｒ５６とＲ５７、Ｒ５７とＲ５８、Ｒ５８とＲ５９、Ｒ５９とＲ６０、Ｒ６１とＲ６２、Ｒ６２とＲ６３、Ｒ６３とＲ６４、Ｒ６５とＲ６６、Ｒ６６とＲ６７、Ｒ６７とＲ６８、Ｒ７１とＲ７２、Ｒ７２とＲ７３、Ｒ７３とＲ７４、Ｒ７５とＲ７６、Ｒ７６とＲ７７、Ｒ７７とＲ７８は、互いに結合して環状構造を形成していてもよい。Ｌ１１〜Ｌ１４は、単結合、置換もしくは無置換のアリーレン基、または置換もしくは無置換のヘテロアリーレン基を表す。一般式（６）におけるＸは、連結鎖長が１原子である２価の酸素原子、硫黄原子、置換もしくは無置換の窒素原子、置換もしくは無置換の炭素原子、置換もしくは無置換のケイ素原子、カルボニル基、あるいは、結合鎖長が２原子である２価の置換もしくは無置換のエチレン基、置換もしくは無置換のビニレン基、置換もしくは無置換のｏ−アリーレン基、または置換もしくは無置換のｏ−ヘテロアリーレン基を表す。］
【請求項１０】
下記一般式（１）で表される化合物。
【化６】
2019006988.tif 000006
［一般式（１）において、
Ｒ１〜Ｒ５は、各々独立に水素原子または置換基を表し、
Ｒ１〜Ｒ５のうちの１個はシアノ基を表し、
Ｒ１〜Ｒ５のうちの１〜３個は、アルキル基またはアリール基で置換されていてもよいアリール基Ａｒ（ただし後者のアリール基を構成するベンゼン環には、炭素原子の他に酸素原子または硫黄原子を環骨格構成原子として含んでいてもよい環が縮合していてもよいが、酸素原子および硫黄原子以外のヘテロ原子を環骨格構成原子として含む環が縮合していることはない）を表し、Ｒ１〜Ｒ５のうちの２個以上がＡｒであるとき、それらのＡｒは互いに同一であっても異なっていてもよく、
Ｒ１〜Ｒ５のうちの１〜３個は、ドナー性基Ｄ（ただしＡｒに該当するものは除く）を表し、Ｒ１〜Ｒ５のうちの２個以上がＤであるとき、それらのＤは互いに同一であっても異なっていてもよい。］
【請求項１１】
下記一般式（１）で表される化合物からなる遅延蛍光体。
【化７】
2019006988.tif 000007
［一般式（１）において、
Ｒ１〜Ｒ５は、各々独立に水素原子または置換基を表し、
Ｒ１〜Ｒ５のうちの１個はシアノ基を表し、
Ｒ１〜Ｒ５のうちの１〜３個は、アルキル基またはアリール基で置換されていてもよいアリール基Ａｒ（ただし後者のアリール基を構成するベンゼン環には、炭素原子の他に酸素原子または硫黄原子を環骨格構成原子として含んでいてもよい環が縮合していてもよいが、酸素原子および硫黄原子以外のヘテロ原子を環骨格構成原子として含む環が縮合していることはない）を表し、Ｒ１〜Ｒ５のうちの２個以上がＡｒであるとき、それらのＡｒは互いに同一であっても異なっていてもよく、
Ｒ１〜Ｒ５のうちの１〜３個は、ドナー性基Ｄ（ただしＡｒに該当するものは除く）を表し、Ｒ１〜Ｒ５のうちの２個以上がＤであるとき、それらのＤは互いに同一であっても異なっていてもよい。］
【請求項１２】
下記一般式（１）で表される化合物を含むことを特徴とする発光素子。
【化８】
2019006988.tif 000008
［一般式（１）において、
Ｒ１〜Ｒ５は、各々独立に水素原子または置換基を表し、
Ｒ１〜Ｒ５のうちの１個はシアノ基を表し、
Ｒ１〜Ｒ５のうちの１〜３個は、アルキル基またはアリール基で置換されていてもよいアリール基Ａｒ（ただし後者のアリール基を構成するベンゼン環には、炭素原子の他に酸素原子または硫黄原子を環骨格構成原子として含んでいてもよい環が縮合していてもよいが、酸素原子および硫黄原子以外のヘテロ原子を環骨格構成原子として含む環が縮合していることはない）を表し、Ｒ１〜Ｒ５のうちの２個以上がＡｒであるとき、それらのＡｒは互いに同一であっても異なっていてもよく、
Ｒ１〜Ｒ５のうちの１〜３個は、ドナー性基Ｄ（ただしＡｒに該当するものは除く）を表し、Ｒ１〜Ｒ５のうちの２個以上がＤであるとき、それらのＤは互いに同一であっても異なっていてもよい。］
【請求項１３】
遅延蛍光を放射する請求項１２に記載の発光素子。
【請求項１４】
前記発光素子が発光層を有しており、前記発光層が前記化合物とホスト材料を含む、請求項１２または１３に記載の発光素子。
【請求項１５】
前記発光素子が発光層を有しており、前記発光層が前記化合物と発光材料を含む、請求項１２〜１４のいずれか１項に記載の発光素子。